(57)【要約】      （修正有）【課題】遠赤外線で人体の芯から温めることができ、健康にも役立つ新しい遠赤外線カイロを提供する。【解決手段】遠赤外線放射鉱物や、ラジウム放射鉱物、ラドン放射鉱物などの粉粒体を用いた遠赤外線等の放射鉱物を袋体３に入れ、この袋体３に使い捨てカイロを貼着して使用する。【選択図】図１
2008093388.tif 000002
【特許請求の範囲】
【請求項１】
遠赤外線放射鉱物粉粒体（１）、（１）と、バインダー（２）を混煉し、袋体（３）に封入したことを特徴とする遠赤カイロ。
【請求項２】
ラジウム放射鉱物粉粒体（４）、（４）を加えて、混煉したものである請求項１記載の遠赤カイロ。
【請求項３】
ラドン放射鉱物粉粒体（５）、（５）を加えて、混煉したものである請求項１、２記載の遠赤カイロ。
【請求項４】
遠赤外線放射鉱物粉粒体（１）、（１）と、ラジウム放射鉱物粉粒体（４）、（４）と、ラドン放射鉱物粉粒体（５）、（５）と、ゴムチップ（６）、（６）と、バインダー（２）とを混煉して、混煉物（７）をつくり、前記、混煉物（７）を用いて、一方向から使い捨てカイロを出し入れできる開口部（８）を設けた袋状体（９）に成型したことを特徴とする遠赤カイロ。
【請求項５】
袋状体（９）の内面にアルミ箔（１０）を貼着したものである請求項４記載の遠赤カイロ。
【請求項６】
混煉物（７）を以て、マット上面（１１）を成型すると共に、断熱材（１２）を用いてマット裏面（１３）を、中心部に使い捨てカイロを収納できる収納部（１４）を刻設し、併せて、前記、マット上面（１１）と、前記、マット裏面（１３）との上下２枚のマットを合わせて使用することを特徴とする遠赤カイロ。
【請求項７】
マット裏面（１３）の適所に、ヒータ線（１５）を埋設したものである請求項６、７記載の遠赤カイロ。
【請求項８】
ゴムチップ（６）、（６）に替え、合成樹脂素材（１６）を用いたものである請求項４、５、６、７記載の遠赤カイロ。
【発明の詳細な説明】
【技術分野】
【０００１】  本発明は、遠赤外線等を放射して身体の芯から温めることのできる遠赤カイロに関する。
【背景技術】
【０００２】  元来、「かいろ」は、「懐炉」と書き、元禄時代の初めのころの発明で、懐中して胸・腹などを暖める道具である。最近までは、金属などで造った小さい箱の中に、懐炉灰を入れて火をつけて収納の上密閉して使用するものもあった。また、揮発油を用いて使用するものもあった。これに対して近年では、使い捨てカイロというものが一般に使用されている。使い捨てカイロは、鉄粉、水、活性炭、木粉、バーミキュライト、食塩などを材料にしている。この使い捨てカイロを発熱させるには、外側の袋体を破って中からカイロ本体を取り出すだけでよい。発熱する温度は平均５０℃前後で、およそ２０時間ぐらい持続する。使い捨てカイロは、その取り扱いが簡単で、安全せいが高く、保温時間や保温効果も十分にあるので、今日では一般に普及して使用されている。
【発明の開示】
【発明が解決しようとする課題】
【０００３】  現在の懐炉は、背景技術で述べたように、使い捨てカイロが一般的に普及使用されている。しかし、使い捨てカイロは、単に身体を寒さから温めるという役割を果たすだけでしかない。使い捨てカイロが発熱するのは単なる熱である。単なる熱は、身体の表面だけを温めるだけで、体の芯から温めることはできない。最近は、科学の進歩が著しく、身体の芯から温めることができ、健康にもよい言われる物質が出現している。例えば、遠赤外線放射鉱物や、ラジウム放射鉱物、ラドン放射鉱物などである。これらの物質は常態環境に置いただけならさほどの効果を発揮しないが、これらの物質に熱エネルギー与えると、それぞれが特有している放射物質を大量に放射する。これらの鉱物から放射される放射物質は、人間の身体の健康を維持するのに極めて重要な役割を果たすものである。しかるに、本発明の出願にあたり、先行技術を調査してみたが本発明と同様なものは見当たらなかった。そこで、本発明では、遠赤外線放射鉱物や、ラジウム放射鉱物、ラドン放射鉱物などの粉粒体を用いて遠赤外線等の放射鉱物を入れた袋体を開発し、この袋体に使い捨てカイロを貼着して使用すると、遠赤外線で人体を芯から温めることができ、健康にも役立つ新しい遠赤カイロを開発・提供しようとするものである。
【課題を解決するための手段】
【０００４】  上記目的を達成するために、本発明における遠赤カイロは、次のような構成としている。
（請求項１）
遠赤外線放射鉱物粉粒体１、１と、バインダー２を混煉し、袋体３に封入したことを特徴とする遠赤カイロ。
（請求項２）
ラジウム放射鉱物粉粒体４、４を加えて、混煉したものである請求項１記載の遠赤カイロ。
（請求項３）
ラドン放射鉱物粉粒体５、５を加えて、混煉したものである請求項１、２記載の遠赤カイロ。
（請求項４）
遠赤外線放射鉱物粉粒体１、１と、ラジウム放射鉱物粉粒体４、４と、ラドン放射鉱物粉粒体５、５と、ゴムチップ６、６と、バインダー３とを混煉して、混煉物７をつくり、前記、混煉物７を用いて、一方向から使い捨てカイロを出し入れできる開口部８を設けた袋状体９に成型したことを特徴とする遠赤カイロ。
（請求項５）
袋状体９の内面にアルミ箔１０を貼着したものである請求項４記載の遠赤カイロ。
（請求項６）
混煉物７を以て、マット上面１１を成型すると共に、断熱材１２を用いてマット裏面１３を、中心部に使い捨てカイロを収納できる収納部１４を刻設し、併せて、前記、マット上面１１と、前記、マット裏面１３との上下２枚のマットを合わせて使用することを特徴とする遠赤カイロ。
（請求項７）
マット裏面１３の適所に、ヒータ線１５を埋設したものである請求項６記載の遠赤カイロ。
（請求項８）
ゴムチップ６、６に替え、合成樹脂素材１６を用いたものである請求項４、５、６、７記載の遠赤カイロ。
【発明の効果】
【０００５】  本発明は上記のとおり構成されているので、次に記載する効果を奏する。
１．請求項１記載の実施例では、袋体３が万一破れても、袋体３に封入されている遠赤外線放射鉱物粉粒体１、１の粉末が、バインダー２の接着効果により、飛散して困ることは起こらないし、また、袋体３の片面に使い捨てカイロを貼着して使用すると、使い捨てカイロの熱エネルギーが遠赤外線放射鉱物粉粒体１、１に伝わり、遠赤外線を大量に放射する。従って、本実施例では、袋体３に使い捨てカイロを貼着させて身体に接触させて使用すると、快適・快感の感覚が得られ、爽快感に浸ることができる。もともと遠赤外線放射鉱物粉粒体１、１は、熱エネルギーを与えると、０．６４〜１４ミクロンの電磁波（遠赤外線）が大量に発生放射され、その電磁波が体内に入り身体の芯から温かくなる。それは単に温かくなるだけではなく、その遠赤外線が体内の水分を活性化させ、疲労回復の効果を発揮する。
２．請求項２記載の実施例では、ラジウム放射鉱物粉粒体４、４を加えて、混煉してあるので、ラジウム放射鉱物粉粒体４、４からは、主としてマイナスイオンが放射されると同時に、遠赤外線放射との相乗効果により、身体のリラックス化が図られ疲労回復が促進される。
３．請求項３記載の実施例では、ラドン放射鉱物粉粒体５、５を加えて、混煉してあるので、ラドン放射鉱物粉粒体５、５からは、ラドンなど微量放射線を放射するので、上記、１、２の効果に加えて、有害な重金属、老廃物を汗と共に排泄することができる。
４．請求項４記載の実施例にあっては、混煉物７を以て袋状体９に成型しているので、開口部８に使い捨てカイロを入れて使用すると、袋状体９の中に使い捨てカイロが入るので、袋状体９の両面から遠赤外線やマイナスイオンなどが放射される。本実施例では、袋状体９の中に使い捨てカイロを入れだけで使用できという便利さがある。
５．請求項５記載の実施例にあっては、袋状体９の内面にアルミ箔１０を貼着してあるので、熱伝導率がよく混煉物７に使い捨てカイロの熱をよく伝え、遠赤外線などの放射物をより放射させることができる。
６．請求項６記載の実施例にあっては、マット裏面１３が断熱材１２なので、本実施例を床や椅子などの上に置き、その上に足や腰などを乗せ置くと、身体の芯から温めることができる。
７．請求項７記載の実施例にあっては、ゴムマットの中にヒータ線８を埋設したもので、ヒータ線８により熱を加えると、遠赤外線放射鉱物やラドン放射鉱物やラジウム放射鉱物による放射効果を最大限に発揮させることができる。
８．請求項８記載の実施例にあっては、ゴムチップ６、６に替え、合成樹脂素材１６にしたもので、ゴムチップ６、６と同様の効果を発揮する。
【発明を実施するための最良の形態】
【０００６】  本発明の実施例を図面を参照に説明する。図１、２は、請求項１に関するものである。図１は、袋体３の斜視図で、図２は、Ｘ−Ｘ線断面図である。本実施例では、任意素材の袋体３の中に、遠赤外線放射鉱物粉粒体１、１と、バインダー２が混煉の上封入してある３、本実施例では、バインダー２の入れる量を多くすると、遠赤外線放射鉱物粉粒体１、１は板状の固形状に固まり、バインダー２の入れる量を少なくすると、遠赤外線放射鉱物粉粒体１、１は、顆粒状に固まる。従って、本実施例を使用するには、本袋体３の片面に使い捨てカイロを貼着して発熱させると、使い捨てカイロの熱が遠赤外線放射鉱物粉粒体１、１に伝わり、遠赤外線放射鉱物粉粒体１、１から大量の遠赤外線が放射される。この袋体３を身体の必要箇所に当てると身体を芯から温めることができる。板状に固めたものは、床などに置いて身体を温めるのに適し、顆粒状に固めたものは袋体３を変形させて使用することができるので、扱いやすく肘や膝などの曲がる箇所ても使用することができる。この袋体３の中を顆粒状に固めたものは、万一袋体３が破れることがあっても、遠赤外線放射鉱物粉粒体１、１が飛散して粉まみれになり、困るようなことは起こらない。【０００７】  本発明では、遠赤外線放射鉱物にグラファイトシリカ（ブラックシリカ）を用いている。しかし、遠赤外線放射鉱物はグラファイトシリカに限らず、各種の遠赤外線放射鉱物を採用してもよいものである。遠赤外線とは、０．６４〜１４ミクロンまでの電磁波を指す。地球上の全ての生物は、０．６４〜１４ミクロンまでのいずれかの電磁波に反応し、生物を構成している水分は再生が図られ快適な状態になる。人間においてもその例外ではなく、身体に遠赤外線を当てると遠赤外線は身体の内部まで入り込み、身体の内部から温かくなり、心地よい汗が大量に排出される。遠赤外線放射鉱物粉粒体１、１を加熱し、身体に照射させて出される汗は、温泉に入浴したときに出されるものと同様のもので、サラサラでべとつかない性質のものである。この汗は運動時や暑いときに出る汗（汗腺から出る汗・主に体温調節が目的）とは根本的に異なり、身体に負荷をかけない状態で無理なく発汗（皮脂腺から出る汗）されるため、汗自体がサラッとしていて、汗特有の匂いもない。さらに、体内で蓄積された老廃物を排泄し、血液とリンパ液の流れをスムーズにすることで生体細胞を若返らせ、新陳代謝を活発にする。また、有害重金属物の排出や脂肪の燃焼も促進する。【０００８】  図３は、請求項２に関するもので、請求項２実施例の断面図である。
本実施例では、請求項１記載の実施例のものに、ラジウム放射鉱物粉粒体４、４を加えて混煉し、袋体３に封入したものである。ラジウム放射鉱物粉粒体４、４は、主としてマイナスイオンを放射する鉱物で、遠赤外線放射鉱物と併せて使用することによって相乗効果を発揮し、さらさらの汗を大量に出す役割を果たし、かつ、身体のリラックス化が図られ疲労回復が促進される。【０００９】  図４は、請求項３に関するもので、請求項３実施例の断面図である。
本実施例では、請求項１、２記載の実施例のものに、ラドン放射鉱物粉粒体５、５を加えて混煉し、袋体３に封入したものである。本発明は、遠赤外線放射鉱物粉粒体１、１と、ラジウム放射鉱物粉粒体４、４と、ラドン放射鉱物粉粒体５、５とを併せて使用することによって、漢方薬が幾つもの薬草を合わせてよい効果を発揮するように、相乗効果を最大限に発揮し、さらさらの汗を大量に出すだけでなく、不要となった有害毒素の重金属を体外に排出する役割を果たす。【００１０】  図５は、請求項４記載実施例の斜視図である。
本実施例では、遠赤外線放射鉱物粉粒体１、１と、ラジウム放射鉱物粉粒体４、４と、ラドン放射鉱物粉粒体５、５と、ゴムチップ６、６と、バインダー３とを混煉して、混煉物７をつくり、前記、混煉物７をを用いて、一方向から使い捨てカイロを出し入れできる開口部８を設けた袋状体９に成型したものである。本実施例を用いて使用するには、開口部８を開き、この袋状体９の中に使い捨てカイロを入れて懐中すると身体を芯から温める。【００１１】  図６は、請求項５記載実施例の一部切欠斜視図である。本実施例では、袋状体９の内面にアルミ箔１０を貼着している。アルミ箔１０は熱伝導率がよく、使い捨てカイロの熱を袋状体９に伝えるので遠赤外線などがより多く放射される。【００１２】  図７、８は、請求項６記載実施例で、図７は、マット上面１１斜視図、図８は、マット裏面１３斜視図である。
図７のマット上面１１斜視図では、遠赤外線放射鉱物粉粒体１、１と、ラジウム放射鉱物粉粒体４、４と、ラドン放射鉱物粉粒体５、５と、ゴムチップ６、６と、バインダー３とを混煉して、混煉物７をつくり、これを長方形状の板体に成型したものである。
図８のマット裏面１３斜視図は、任意の断熱材１２を用いて中央部に使い捨てカイロを収納できる収納部１４を刻設している。従って、マット裏面１３の収納部１４の中に、使い捨てカイロを入れて、その上にマット上面１１を重ね合わせて使用する。本実施例では、マット裏面１３が断熱材１２なので、マット上面１１を上にして、床や椅子などの上に置き、その上に足や腰を乗せて使用する３、すると、使い捨てカイロの熱がマット上面１１の中の、遠赤外線放射鉱物粉粒体１、１や、ラジウム放射鉱物粉粒体４、４や、ラドン放射鉱物粉粒体５、５に伝わって熱せられ、遠赤外線やマイナスイオンなどが大量に放射される。従って、このマット上面に身体を接触させておくと、身体は芯から温まり快適・快感の感覚が得られ、爽快感に浸ることができる。【００１３】  図９は、請求項７記載実施例の平面図である。
本実施例では、マット裏面１３の適所に、ヒータ線１５を埋設したものである請求項６、７記載の遠赤カイロである。ヒータ線１５を埋設してあるので、電源を入れると、必要な熱源が容易に得られるので、必要な時間遠赤外線などを自在に放射できる。【００１４】  図１０は、請求項８記載実施例の斜視図である。本実施例では、ゴムチップ６、６に替え、合成樹脂素材１６にしたものである請求項４、５、６、７記載の遠赤カイロである。遠赤外線放射鉱物粉粒体１、１や、ラジウム放射鉱物粉粒体４、４や、ラドン放射鉱物粉柆体５、５に、合成樹脂素材１６で混煉してもゴムチップ６、６で混煉したのと同様の混煉物７ができる。
【産業上の利用可能性】
【００１５】  本発明になる遠赤カイロは、遠赤外線放射鉱物をベースにして製造したものである。遠赤外線放射物質は本発明ではグラファイトシリカを用いている。遠赤外線を地球上の全ての動植物に照射すると、０．６４〜１４ミクロンまでのいずれかの電磁波に反応し、生物を構成している水分は再生が図られる快適な状態になる。人間においても身体に遠赤外線を当てると遠赤外線は身体の内部まで入り込み、身体の内部から温かくなり、心地よい汗が大量に流れ出る。最近は虫歯を治療するのに、虫歯に遠赤外線を照射して痛みを少なくする治療が行われている。また、本発明ではラジウム放射鉱物４、４やラドン放射鉱物５、５を用いられている。バドガスタインは少量でもラドンを放射することから、ラドン温泉と同様に人体から大量の汗の発汗を促すものである。従って、その後は気分まで爽快になり、身体細胞が再生し新陳代謝が旺盛になる。また、内蔵脂肪症候群（メタボリックシンドローム）などの生活習慣病の原因を解消する。本発明品を身近なところにおいて、頻繁に使用することにより、健康体が維持され老化防止にも役立つものになっている。本発明品は疲労回復・健康維持を保つのに、薬やサブリメントなどに頼らなくても、十分にその効果を発揮できるものなので、２１世紀の健康維持商品として大いに役立つものになるに違いない。
【図面の簡単な説明】
【００１６】
【図１】  一実施例の斜視図である。
【図２】  Ｘ−Ｘ線断面図である。
【図３】  請求項２記載実施例の断面図である。
【図４】  請求項３記載実施例の断面図である。
【図５】  請求項４記載実施例の断面図である。
【図６】  一部切欠斜視図である。
【図７】  マット上面斜視図である。
【図８】  マット裏面斜視図である。
【図９】  請求項７記載実施例の正面図である。
【図１０】  請求項８記載実施例の斜視図である。
【符号の説明】
【００１７】  （１）    は  遠赤外線放射鉱物粉粒体
（２）    は  バインダー
（３）    は  袋体
（４）    は  ラジウム放射鉱物粉粒体
（５）    は  ラドン放射鉱物粉粒体
（６）    は  ゴムチップ
（７）    は  混煉物
（８）    は  開口部
（９）    は  袋状体
（１０）  は  アルミ箔
（１１）  は  マット上面
（１２）  は  断熱材
（１３）  は  マット裏面
（１４）  は  収納部
（１５）  は  ヒータ線
（１６）  は  合成樹脂素材
【図１】
2008093388.tif 000003
【図２】
2008093388.tif 000004
【図３】
2008093388.tif 000005
【図４】
2008093388.tif 000006
【図５】
2008093388.tif 000007
【図６】
2008093388.tif 000008
【図７】
2008093388.tif 000009
【図８】
2008093388.tif 000010
【図９】
2008093388.tif 000011
【図１０】
2008093388.tif 000012